(57)【要約】【課題】  落下衝撃に対する信頼性を向上させることができるリッド付きのテープカセットを提供する。【解決手段】  上シェル２と下シェル３とを結合してなるカセットシェル４の一対のテープ引出し部８において、上シェル２の外周壁２Ａには、下シェル３の外周壁３Ａの一部をなす凹型壁部３１に組み合わされる突出壁部３２が形成され、凹型壁部３１の前方側は、突出壁部３２の前縁３２ａ全体にわたって対向する垂直壁部３３とされており、リッド部材の回動軸を支持する支持孔３０は、突出壁部３２の前縁３２ａに形成されたガイド溝３４に連通して形成されていると共に、このガイド溝３４は、垂直壁部３３の先端から段部３５を隔てて形成されている。また、突出壁部３２の先端には、凹型壁部３１の内面側に形成された凹欠部３８に係合する係合リブ３７が形成されている。【選択図】        図２
2005116135.tif 000002
【特許請求の範囲】
【請求項１】
第１のシェルと第２のシェルとを結合してなるカセットシェルと、前記カセットシェルの内部に回転可能に収納される一対のテープリールと、前記テープリールに巻装されるテープ状記録媒体とを備え、前記カセットシェルの前部には、前方及び上下に開放されるマウス部と、前記マウス部の前端を横切るように前記テープ状記録媒体を架け渡す筒状の一対のテープ引出し部とが設けられ、前記一対のテープ引出し部の各々の外面側には、前記マウス部を覆うリッド部材の回動軸を支持する支持孔がそれぞれ形成されているテープカセットにおいて、
前記一対のテープ引出し部における前記第１のシェル外周壁には、前記第２のシェル外周壁の一部をなす凹型壁部に組み合わされる突出壁部が形成され、前記凹型壁部の前方側は、前記突出壁部の前縁全体にわたって対向する垂直壁部とされており、
前記支持孔は、前記突出壁部の前縁に形成された切欠きに連通して形成されていると共に、前記切欠きは、前記垂直壁部の先端から段部を隔てて形成されている
ことを特徴とするテープカセット。
【請求項２】
前記切欠きは、前記突出壁部の前縁側が前記支持孔側よりも広く形成されている
ことを特徴とする請求項１に記載のテープカセット。
【請求項３】
前記突出壁部の先端には、前記凹型壁部の内面側に形成された凹欠部に係合する係合リブが形成されている
ことを特徴とする請求項１に記載のテープカセット。
【請求項４】
前記凹欠部には、前記係合リブの後端に対向して前記突出壁部の倒れを規制する位置規制壁部が設けられている
ことを特徴とする請求項３に記載のテープカセット。
【請求項５】
前記突出壁部の後方側には、テープ検出光の光路を構成する開口が形成されている
ことを特徴とする請求項１に記載のテープカセット。
【発明の詳細な説明】
【技術分野】
【０００１】
本発明は、カセットシェル内にテープ状記録媒体を収納したテープカセットに関し、更に詳しくは、カセットシェルの前部のマウス部を横切るテープ状記録媒体を保護するためのリッド部材を備えたテープカセットに関する。
【背景技術】
【０００２】
テープカセットは一般に、上シェルと下シェルとを互いに結合してなるカセットシェルの内部に、テープ状記録媒体としての磁気テープを巻装した一対のテープリールを回転可能に収納して構成されている。そして、テープカセットにおいては、非使用時において、カセットシェルの前部に形成されたマウス部に位置する磁気テープをリッドと称される部材によって覆い、当該磁気テープに塵埃が付着したり、人の手指が触れて油脂等が付着するのを防止するものがある。
【０００３】
図８はこの種のリッド付きのテープカセット１０１の一構成例を背面側から見たときの斜視図である。
【０００４】
上シェル１０２及び下シェル１０３は略矩形の浅皿形状の合成樹脂材料の射出成形体でなり、各々の外周壁が互いに突き合わされることによりカセットシェル１０４が形成される。このカセットシェル１０４の内部には、磁気テープを巻装した一対のテープリールが回転可能に収納されている。
【０００５】
また、カセットシェル１０４の前部には、一対のテープ引出し部１０５，１０５間に架け渡された磁気テープを覆うリッド部材１０６が取り付けられている。リッド部材１０６は、磁気テープの前面を覆うフロントリッド１０７と、磁気テープの背面を覆うバックリッド１０８とで構成されている。
【０００６】
図９及び図１０はカセットシェル１０４とフロントリッド１０７との関係を示している。ここで、図９はカセットシェル１０４のテープ引出し部１０５外周壁側の側面図、図１０は図９における［１０］−［１０］線方向断面図である。
【０００７】
フロントリッド１０７の両端内面側には、各テープ引出し部１０５の上シェル１０２側の外周壁に形成された支持孔１０９に嵌合支持される回動軸１１０がそれぞれ設けられている。回動軸１１０の先端部１１０ａは軸径が漸次大となる抜け止め構造を有しており、支持孔１０９の内側壁面に設けられたすり鉢状のテーパ面１０９ａに対向している。これにより、フロントリッド１０７はカセットシェル１０４のテープ引出し部１０５に対して回動可能とされる。
【０００８】
なお、バックリッド１０８はフロントリッド１０７に一体的に組み付けられ、図１１Ａ，Ｂに示すように、フロントリッド１０７の開閉動作に伴って開閉するように構成されている。ここで、図１１Ａはリッド部材１０６の閉塞時、図１１Ｂはリッド部材１０６の開放時をそれぞれ示している。
【０００９】
図９に示すように、テープ引出し部１０５において上シェル１０２の外周壁には、下シェル１０３の外周壁の一部をなす凹型壁部１１１に組み合わされる突出壁部１１２が設けられている。この突出壁部１１２の前縁部（図９において左方側縁部）の上端には切欠き１１６が設けられており、この切欠き１１６に連通するように支持孔１０９が形成されている。そして、支持孔１０９は、突出壁部１１２の前縁部全体にわたって対向するように形成された、下シェル１０３の垂直壁部１１３の後縁部により閉塞されている。
【００１０】
また、突出壁部１１２の形成幅は凹型壁部１１１の形成幅よりも小さく、凹型壁部１１１内において突出壁部１１２の後方側には、所定面積の矩形状の開口１１４が形成されている。この開口１１４は、フロントリッド１０７の開放時にフロントリッド１０７の側端部に形成された開口１１５と整列し、テープ検出光の光路を構成する。
【００１１】
以上のような構成のテープカセット１０１においては、フロントリッド１０７とバックリッド１０８とを互いに組み合わせてリッド部材１０６を構成した後、フロントリッド１０７の回動軸１１０を上シェル１０２の突出壁部１１２に形成された支持孔１０９に組み込む。そして、磁気テープを巻装したテープリール等の必要部品を収納した下シェル１０３に対して当該上シェル１０２を組み合わせ、タッピングネジ等で結合することによって完成とされる。
【００１２】
なお、この出願の発明に関連する先行技術文献としては以下に挙げるものがある。
【００１３】
【特許文献１】特開２００３−３６６３２号公報
【特許文献２】特開平７−２８７９５９号公報
【特許文献３】特開平１１−１５４３８５号公報
【特許文献４】特開２００３−３６６３５号公報
【特許文献５】特開２００３−３６６４０号公報
【発明の開示】
【発明が解決しようとする課題】
【００１４】
ところで、この種のテープカセットには、膨大かつ貴重なデータが記録されているために信頼性確保の点で機械的な強度向上対策が望まれている。特に、外力が複合的に作用する落下衝撃強度に対するカセットシェルの信頼性確保は重要な課題となっている。
【００１５】
上述した構成のテープカセット１０１に対して落下衝撃が作用した場合、シェル結合強度の比較的弱いテープ引出し部１０５の外面側において特に顕著な挙動が示されることがわかっている。その第１の例は、上シェル１０２及び下シェル１０３の分離である。
【００１６】
リッド部材１０６又はその近傍に落下衝撃が加わると、シェル結合強度の比較的低いテープ引出し部１０５の外面側においては、図１２に模式的に示すように上シェル１０２と下シェル１０３とが互いに離間する方向に外力が作用する。そして、この外力が回動軸１１０の軸径以上にシェル間を分離させるほどの大きさに達した場合、回動軸１１０が支持孔１０９から離脱し上下シェル１０２，１０３間に噛み込まれるおそれがある。こうなると、リッド部材１０６の適正な動作が不可能となる。
【００１７】
また、第２の例としては、リッド部材１０６を支持する上シェル１０２の突出壁部１１２の変形である。
【００１８】
リッド部材１０６に落下衝撃が加わると、リッド部材１０６（フロントリッド１０７）の回動軸１１０を支持する上シェル１０２の突出壁部１１２に対して局所的な外力が加わる。そして、この外力が突出壁部１１２の弾性限度を越えるほどの大きさに達した場合、図１３に示すように突出壁部１１２がシェル外方側へ変形してテープカセット１０１の外形寸法を変動させ、記録再生装置（ドライブ装置）への装填不良を引き起こすおそれがある。
【００１９】
さらに、リッド部材１０６へ加わる衝撃荷重により、その回動軸１１０を支持する突出壁部１１２が、図１４にやや誇示して示すように、開口１１４側へ倒れ込むように変形する場合がある。この場合、開口１１４の開口面積低減によりテープ検出光の光路としての機能が低下し、所望のテープ検出機能が得られなくなるおそれがある。また、突出壁部１１２が破損してリッド部材１０６を適正に支持できなくなるおそれもある。
【００２０】
本発明は上述の問題に鑑みてなされ、落下衝撃に対する信頼性を向上させることができるリッド付きのテープカセットを提供することを課題とする。
【課題を解決するための手段】
【００２１】
以上の課題を解決するに当たり、本発明のテープカセットは、第１，第２のシェルを結合してなるカセットシェルの一対のテープ引出し部において、第１のシェル外周壁には、第２のシェル外周壁の一部をなす凹型壁部に組み合わされる突出壁部が形成され、凹型壁部の前方側は、上記突出壁部の前縁全体にわたって対向する垂直壁部とされており、リッド部材の回動軸を支持する支持孔は、上記突出壁部の前縁に形成された切欠きに連通して形成されていると共に、この切欠きは、上記垂直壁部の先端から段部を隔てて形成されていることを特徴としている。
【００２２】
本発明では、突出壁部の前縁全体にわたって対向する垂直壁部の先端から、所定高さの段部を隔てて上記切欠きを形成することにより、テープ引出し部外面において両シェルを分離させる外力が作用したとしても、当該分離量が段部の高さ以下であれば垂直壁部による支持孔の閉塞機能を維持でき、また、当該分離量が段部の高さを越える場合であっても従来よりも支持孔の開放量を規制できる。これにより、支持孔からの回動軸の離脱を阻止でき、落下衝撃時において分離したシェル間における回動軸の噛み込みを防止することができる。
【００２３】
また、本発明のテープカセットにおいて、突出壁部の先端には凹型壁部の内面側に形成された凹欠部に係合する係合リブが形成されていることを特徴としている。
【００２４】
この構成により、リッド部材に対する落下衝撃時において、突出壁部のシェル外方側への変形を上記係合リブと凹欠部との間の係合作用によって規制することができる。これによりカセットシェルの外形寸法の変動による記録再生装置への装填不良が回避される。
【００２５】
この場合、凹欠部に対し、係合リブの後端に対向して突出壁部の倒れを規制する位置規制壁部を設けることによって当該突出壁部の後方側への変形を規制することができる。これにより、突出壁部の後方側にテープ検出用の光路を構成する開口が形成されている場合にあっては、当該開口の開口面積の低減を防止して適正なテープ検出作用を確保することができる。
【発明の効果】
【００２６】
以上述べたように、本発明のテープカセットによれば、落下衝撃に対するカセットシェルの耐久性を向上させることができ、リッド部材の機能不全やシェル外形寸法の変動等を防止して信頼性を高めることができる。
【発明を実施するための最良の形態】
【００２７】
以下、本発明の実施の形態について図面を参照して説明する。
【００２８】
図１は本発明の実施の形態によるテープカセット１の全体を示す分解斜視図である。先ず、テープカセット１の全体構成について説明する。
【００２９】
テープカセット１は、第１のシェルとしての上シェル２と第２のシェルとしての下シェル３とを互いに結合してなるカセットシェル４の内部に、テープ状記録媒体としての磁気テープ５を巻装した一対のテープリール６，６を左右に離間して回転可能に収納して構成されている。
【００３０】
カセットシェル４の前部には、前方及び上下に開放されるマウス部７が形成され、磁気テープ５はこのマウス部７を横切るように、一対の角筒状のテープ引出し部８，８間に架け渡されている。これら一対のテープ引出し部８，８は上シェル２と下シェル３とが互いに結合されることによって構成され、その下シェル３側にはテープ走行領域を構成するテープガイド９，９がそれぞれ設けられている。
【００３１】
マウス部７を横切る磁気テープ５は、非使用時、リッド部材１０により覆われており、磁気テープへの塵埃の付着や手指の接触による油脂等の付着が防止されるようになっている。リッド部材１０は、磁気テープ５の前面側を覆うフロントリッド１１と、磁気テープ５の背面側を覆うバックリッド１２との組み合わせ体で構成されている。
【００３２】
一対のテープリール６，６はそれぞれ上リール１３と下リール１４との接合体でなり、下リール１４にはリールハブ１５が一体形成されている。磁気テープ５は、各テープリール６，６のリールハブ１５に対してクランパ１６を介して一体化されている。テープリール６，６の各々の下面には、図示しない記録再生装置のリール回転駆動軸に係合されるチャッキングギヤが形成され、これらは下シェル３に穿設された開口部１７，１７を介して外部へ露出されている。
【００３３】
カセットシェル４の内部には、更に、リールロック部材１８、リールロックスプリング１９、一対のリールスプリング２０，２０、セイフティタブ２１、キャップ部材２２等が収納されている。
【００３４】
リールロック部材１８は、テープカセット１の非使用時、リールロックスプリング１９の付勢力を受けて、テープリール６，６（下リール１４，１４）の外周面に形成されているギヤに係合してテープリール６，６の回転を規制し、カセットシェル４の内部における磁気テープ５の弛みを防止する。
【００３５】
リールスプリング２０，２０は上シェル２の内面側に取り付けられており、テープリール６，６の上面中央部を押圧している。そして、カセット非使用時にはテープリール６，６を下シェル３側へ押し付けて当該テープリール６，６のガタツキを抑える。また、カセット使用時においてはテープリール６，６をリール回転駆動軸に押し付けて当該テープリール６，６の回転の安定化を図る。
【００３６】
セイフティタブ２１は、磁気テープ５に記録された情報の誤消去や誤記録を防止するためのもので、カセットシェル４の背面側において記録可能位置と記録不可能位置との間をスライド自在に組み込まれている。
【００３７】
キャップ部材２２は、記録再生装置内においてカセットシェル４の前面側中央の筒状部２３に挿入されるテープ検出用の発光体を覆う透明な部材であり、発光体からの照射光をテープ引出し部８，８の外面に設けられた開口２４（図２参照）へ導くレンズとして機能する。
【００３８】
リッド部材１０は上述のようにフロントリッド１１とバックリッド１２との組合せ体でなり、カセットシェル４に対してマウス部７を開閉自在に取り付けられている。リッド部材１０はそのフロントリッド１１の両端内面側に突出形成された回動軸２５のまわりに回動可能とされ、カセット非使用時はリッドスプリング２６の付勢力によりマウス部７を閉塞すると共に、リッドロック部材２７によって開放動作が規制されている。なお、回動軸２５は後述するように上シェル２側のテープ引出し部８の外面側に形成された支持孔３０に支持されている。
【００３９】
次に、本発明に係る支持孔３０及びその周辺部の構成の詳細について図２〜図６を参照して説明する。
【００４０】
ここで、図２はカセットシェル４の一方側のテープ引出し部８の側面図、図３は図２における［３］−［３］線方向断面図、図４は図３における要部側面図、図５Ａは上シェル２のテープ引出し部を構成する領域の側面図、図５Ｂは図５Ａにおける［５Ｂ］−［５Ｂ］線方向断面図、図５Ｃは上シェル内面側の側面図、図６Ａは下シェル３のテープ引出し部を構成する領域の側面図、図６Ｂは図６Ａにおける［６Ｂ］−［６Ｂ］線方向断面図、図６Ｃは下シェル内面側の側面図である。
【００４１】
図２に示すように、テープ引出し部８の外面は、上シェル２の外周壁２Ａと下シェル３の外周壁３Ａとが結合されて形成される。上シェル２の外周壁２Ａには、下シェル３の外周壁３Ａの一部をなす凹型壁部３１に組み合わされる突出壁部３２が設けられている。支持孔３０は、この突出壁部３２に対しその前縁（図２において左方側縁部）３２ａに設けられたガイド溝３４に連通するように形成されている。そして、凹型壁部３１の前方側は、突出壁部３２の前縁全体にわたって対向する垂直壁部３３とされており、支持孔３０及びガイド溝３４を閉塞している。
【００４２】
回動軸２５の先端部２５ａ（図３参照）は軸径が漸次大となる抜け止め構造を有しており、支持孔３０の内側壁面及び垂直壁部３３の一部内側壁面に設けられたすり鉢状のテーパ面３０ａに対向している。これにより、フロントリッド１１はカセットシェル４のテープ引出し部８に対して回動可能とされる。
なお、バックリッド１２はフロントリッド１１に一体的に組み付けられ、フロントリッド１１の開閉動作に伴って開閉するように構成されている。
【００４３】
突出壁部３２の形成幅は凹型壁部３１の形成幅よりも小さく、突出壁部３２の後端側には所定面積の矩形状の開口２４が形成されている（図２）。この開口２４は、リッド部材１０の開放時にフロントリッド１１の側端部に形成された開口２８（図１）と整列し、テープ検出光の光路となる窓を構成する。
【００４４】
以上のように、本実施の形態のテープカセット１においては、一対のテープ引出し部８における上シェル外周壁２Ａには、下シェル外周壁３Ａの一部をなす凹型壁部３１に組み合わされる突出壁部３２が形成され、凹型壁部３１の前方側は、突出壁部３２の前縁３２ａ全体にわたって対向する垂直壁部３３とされている。
【００４５】
そして、本実施の形態のテープカセット１においては、フロントリッド１１の回動軸２５を支持する支持孔３０は、突出壁部３２の前縁３２ａに形成されたガイド溝３４に連通して形成されていると共に、ガイド溝３４は、垂直壁部３３の先端から段部３５を隔てて形成されている（図２，４，５Ａ，５Ｃ）。
【００４６】
ガイド溝３４は、本発明の「切欠き」に対応しており、突出壁部３２の前縁３２ａ側から支持孔３０へフロントリッド１１の回動軸２５を組み込む際の通路として形成されている。本実施の形態では、当該切欠きを、突出壁部３２の前縁３２ａ側が支持孔３０側よりも広くなるように一側部をテーパ状に形成したガイド溝３４として構成したが、両側部を共にテーパ状にしてもよい。また、当該切欠き３４には、両側部が互いに平行に形成されたものも含まれると共に、当該切欠き３４の長さ（ガイド長）は特に限定されず、突出壁部３２に対する支持孔３０の形成位置又は大きさに応じて適宜変更されるものとする。
【００４７】
段差３５は、例えばリッド部材１０に落下衝撃が作用した場合など、テープ引出し部８の外面側において上下のシェル２，３がカセットシェル厚さ方向に分離したとしても、支持孔３０から回動軸２５が離脱するのを阻止する機能を果たすように構成され、また、このような機能が得られる高さ（δ）に設定されている。
【００４８】
段部３５の高さδとしては、例えば、すり鉢状のテーパ面３０ａの形成径と支持孔３０の形成径との差に相当する大きさと略同等とされている。
なお、段部３５の高さは勿論これだけに限られず、例えば、テープ引出し部８外面におけるシェル間の最大分離量以上の大きさとしたり、当該シェル間の分離時に支持孔３０が回動軸２５の軸径以上に開放されない程度の大きさに設定することもできる。
【００４９】
続いて、突出壁部３２と凹型壁部３１の構成の詳細について説明する。
【００５０】
突出壁部３２の先端には、図３及び図４に示すように、シェル結合時に、下シェル３側の凹型壁部３１の内面側に形成された凹欠部３８に係合する係合リブ３７が形成されている。これら係合リブ３７と凹欠部３８との係合作用により、凹型壁部３１に対する突出壁部３２のシェル外方側への変形を阻止することができる。
【００５１】
係合リブ３７の高さ及び凹欠部３８の深さは任意であり、例えば、テープ引出し部８外面におけるシェル間の最大分離量以上の大きさとされている。これにより、落下衝撃時等においてシェル間が分離しても、係合リブ３７と凹欠部３８との係合作用を維持して、突出壁部３２のシェル外方側への変形を阻止できる。
【００５２】
また、係合リブ３７及び凹欠部３８の係合面は互いに所定角度のテーパ面３７ａ，３８ａとされており（図５Ｂ，６Ｂ）、上下シェル２，３の結合時におけるテープ引出し部８の組付性を確保するようにしている。
【００５３】
他方、凹欠部３８には、係合リブ３７の後端に対向して突出壁部３２の後方側への倒れを規制する位置規制壁部３８ｂが設けられている（図２，４，６Ａ，６Ｃ）。位置規制壁部３８ｂは、下シェル３の外周壁３Ａの内面と凹欠部３８内面との間の段部で構成されている。これら係合リブ３７と位置規制壁部３８ｂとの係合作用により、落下衝撃時等リッド部材へ外力が加わった際、これを支持する突出壁部３２の開口２４側への変形を阻止するようにしている。
【００５４】
以上のようにして構成されるテープカセット１は、磁気テープ５を巻装した一対のテープリール６，６、リールロック部材１８、リールロックスプリング１９、セイフティタブ２１、光学キャップ２２及びリッドロック部材２７をそれぞれ下シェル３の所定位置に配置する一方、上シェル２にはリールスプリング２０，２０及び、フロントリッド１１とバックリッド１２とを組合せたリッド部材１０を組み付けた後、上下シェル２，３を複数本のタッピングネジ２９で互いに結合することによって製造される。
【００５５】
このとき、上シェル２の突出壁部３２は下シェル３の凹型壁部３１に組み合わされ、突出壁部３２の前縁３２ａに形成された支持孔３０（ガイド溝３４）が垂直壁部３３に閉塞される。また、突出壁部３２先端が凹型壁部３１内面にオーバーラップするように係合リブ３７と凹欠部３８とが互いに対向する。この場合、係合リブ３７のテーパ面３７ａと凹欠部３８のテーパ面３８ａとは間隙をおいて対向していてもよいし、互いに当接していてもよい。同様に、係合リブ３７の後端と位置規制壁部３８ｂとは互いに対向するように配置されるが、これらは間隙をおいて対向していてもよいし、互いに当接していてもよい。
【００５６】
なお、リッドスプリング２６はフロントリッド１１の一方側の回動軸２５に組み込まれた状態で上シェル２に取り付けられ、その一端側は支持孔３０の近傍に形成された係止片３６に係止される。
【００５７】
以上のように構成される本実施の形態のテープカセット１によれば、リッド部材１０の回動軸２５を支持する支持孔３０が、垂直壁部３３の先端から段部３５を隔てた位置に設けたガイド溝３４を介して形成されているので、例えばリッド部材１０に加わる落下衝撃荷重等によってカセットシェル４のテープ引出し部８外面においてカセット厚さ方向に上下シェル２，３が分離したとしても、図７に示すように段部３５によって支持孔３０が開放されるのを阻止することができる。
【００５８】
これにより、従来のテープカセット１０１に比べて、回動軸２５がシェル２，３間に噛み込まれる可能性を低くして、リッド部材１０の適正な開閉動作を確保し、テープカセット１の信頼性を高めることができる。
【００５９】
また、本実施の形態によれば、上シェル２側の突出壁部３２の先端部に、下シェル３側の凹欠部３８に係合する係合リブ３７が形成されているので、リッド部材１０に衝撃荷重等の外力が加わった場合でも、これを支持する突出壁部３２のシェル外方側への変形を防止することができる。これにより、カセットシェル４の外形寸法の変動をなくして記録再生装置への装填不良を回避できると共に、テープ引出し部８の変形によるリッド部材１０の開閉動作不良の発生を阻止することができ、テープカセット１の信頼性を向上させることができる。
【００６０】
更に、本実施の形態によれば、係合リブ３７の後端に対向して突出壁部３２の倒れを規制する位置規制壁部３８ｂを凹欠部３８に設けたので、リッド部材１０に衝撃荷重等の外力が加わった場合でも、これを支持する突出壁部３２の後方側への変形を規制でき、これによりテープ検出光の光路を構成する開口２４の変形を防止して常に適正なテープ検出機能を確保することができ、テープカセット１の信頼性向上を図ることができる。
【００６１】
以上、本発明の実施の形態について説明したが、勿論、本発明はこれに限定されることなく、本発明の技術的思想に基づいて種々の変形が可能である。
【００６２】
例えば以上の実施の形態では、上シェル２を本発明の第１のシェルとしてこれに突出壁部３２を形成し、下シェル３を本発明の第２のシェルとしてこれに凹型壁部３１を形成するようにしたが、これに代えて、上シェル側に凹型壁部を形成し、下シェル側に突出壁部を形成するようにしてもよい。この場合、リッド部材の回動軸を支持する支持孔は、下シェル側に設けられることになる。
【図面の簡単な説明】
【００６３】
【図１】本発明の実施の形態によるテープカセット１の分解斜視図である。
【図２】カセットシェル４の一方側のテープ引出し部８外面側の側面図である。
【図３】図２における［３］−［３］線方向断面図である。
【図４】凹型壁部３１と突出壁部３２との関係をシェル内面側から見た要部側面図である。
【図５】上シェル２のテープ引出し部８の構成を示す図であり、Ａはシェル外面側の要部側面図、ＢはＡにおける［５Ｂ］−［５Ｂ］線方向断面図、Ｃはシェル内面側の要部側面図である。
【図６】下シェル３のテープ引出し部８の構成を示す図であり、Ａはシェル外面側の要部側面図、ＢはＡにおける［６Ｂ］−［６Ｂ］線方向断面図、Ｃはシェル内面側の要部側面図である。
【図７】本発明の一作用を説明するカセットシェル４の要部側面図である。
【図８】従来のテープカセットの構成を示す斜視図である。
【図９】従来のテープカセットのカセットシェル１０４の一方側のテープ引出し部１０５外面側の側面図である。
【図１０】図９における［１０］−［１０］線方向断面図である。
【図１１】テープカセットの前面側の要部斜視図であり、Ａはリッド部材の閉塞時を示し、Ｂはリッド部材の開放時を示している。
【図１２】従来のテープカセットの問題点を説明するシェルの要部側面図である。
【図１３】従来のテープカセットの他の問題点を説明するシェルの要部断面図である。
【図１４】従来のテープカセットの更に他の問題点を説明するシェルの要部側面図である。
【符号の説明】
【００６４】
１…テープカセット、２…上シェル、３…下シェル、４…カセットシェル、５…磁気テープ、６…テープリール、７…マウス部、８…テープ引出し部、１０…リッド部材、１１…フロントリッド、１２…バックリッド、２４…開口、２５…回動軸、３０…支持孔、３１…凹型壁部、３２…突出壁部、３３…垂直壁部、３４…ガイド溝（切欠き）、３５…段部、３７…係合リブ、３８…凹欠部、３８ｂ…位置規制壁部。
【図１】
2005116135.tif 000003
【図２】
2005116135.tif 000004
【図３】
2005116135.tif 000005
【図４】
2005116135.tif 000006
【図５】
2005116135.tif 000007
【図６】
2005116135.tif 000008
【図７】
2005116135.tif 000009
【図８】
2005116135.tif 000010
【図９】
2005116135.tif 000011
【図１０】
2005116135.tif 000012
【図１１】
2005116135.tif 000013
【図１２】
2005116135.tif 000014
【図１３】
2005116135.tif 000015
【図１４】
2005116135.tif 000016